(57)【特許請求の範囲】
【請求項１】
イ）扉端部に固着された受け具を有するレバー受け部と、ロ）縦枠板端部前後に挿通する一対のスタットが前面に突設され中心孔が穿設されたベース板と呼込み板とが向合って呼込みボルトを介して固着され、ハ）後側のつまみと、前側の円柱状部前面に突設されたジョイントと、該円柱状部側面に連結された板状又は棒状レバーとを有する回動部とを備え、ニ）前記ベース板後側に前記回動部が配設され前記レバーが前記中心孔に摺動する前記ジョイントの軸芯回りに回動可能とされている錠前であって、ホ）前記レバーの垂直上方位置において前記円柱状部前面に回動軸芯に対し前記レバー受け部対向側位置に高比重材料の重りが埋設され、ヘ）前記レバーは水平位置にあっては一端部と前記受け具とが係合可能とされ、該レバーは略垂直上方位置にあっては前記円柱状部への埋設位置によって生ずる前記重りのアンバランスによって該レバーを下方位置に自然に回動可能とされていることを特徴とする錠前。
【請求項２】
イ）扉端部に固着された受け具を有するレバー受け部と、ロ）縦枠板端部前後に挿通する一対の強磁性体製スタットが前面に突設され中心孔が穿設された非磁性体製ベース板と呼込み板とが向合って呼込みボルトを介して固着され、ハ）後側のつまみと、前側の円柱状部前面に突設されたジョイントと、該円柱状部側面に連結された板状又は棒状レバーとを有する回動部とを備え、ニ）前記ベース板後側に前記回動部が配設され前記レバーが前記中心孔に摺動する前記ジョイントの軸芯回りに回動可能とされている錠前であって、ホ）前記円柱状部前面に前記レバー長手方向に直交し回動軸芯の対称位置に一対の磁石が前面露出状態で埋設され、前記円柱状部の少なくとも前記磁石周辺は非磁性体製で、前記スタットは前記磁石に対応する位置に後面を露出状態におかれ、ヘ）前記レバーは水平位置にあっては一端部と前記受け具とが係合可能とされ、該レバーが水平位置からずれた位置にあっては前記スタットが前記磁石に吸着され該レバーを略垂直上方又は下方位置に保持可能とされていることを特徴とする錠前。
【請求項３】
受け具は開口部上向き略コ字形の受け溝が形成されていることを特徴とする請求項１又は２に記載の錠前。
【請求項４】
受け具は略方形板状の中央部に略方形状開口部が形成され一対の受け溝を有する基板を扉端部側面に固着するか又は該基板と略方形板状の固着板とで略Ｌ字形に形成し該扉端部壁面に横付けするかしていることを特徴とする請求項１又は２に記載の錠前。
【請求項５】
受け具は扉端部壁面に柱状突起を設けたことを特徴とする請求項１又は２に記載の錠前。
【請求項６】
レバーの一端部に根元部より小サイズに切欠かれた係止溝又は鎌状の係止溝が形成されていることを特徴とする請求項１〜５のいずれかに記載の錠前。
【請求項７】
呼込み板を円板状の表示取付け板に入替え、円板状で前面が区分けされ中心に凹状部をもった解錠操作部と後側に異形孔が設けられた円筒状突起部とを有する表示板と、キャップ状で前記表示板を介在して前記表示取付け板に係止し軸芯に前記解錠操作部が挿通され表示窓をもった表示カバーとを有する表示部を備え、ベース板と前記表示取付け板とが向合って呼込みボルトを介して縦枠板端部に固着され、ジョイントの軸芯前方に異形軸を突設して前記異形孔に挿着するか又は該ジョイント軸芯と該異形孔をキーによって連結するかしてレバーの回動に連動して前記表示窓から前記表示板の区分けを目視可能としたことを特徴とする請求項１〜６のいずれかに記載の錠前。
【請求項８】
ベース板と呼込み板又は表示取付け板間に扉と縦枠板の各壁面の前後食違いに対応した前後幅をもち軸芯に中心孔が穿設され外周部にスタットが貫通可能な通し孔が穿設された略円柱体のスペーサーが介在されていることを特徴とする請求項１〜７のいずれかに記載の錠前。
【請求項９】
レバー受け部と、回動部及びベース板と呼込み板又は表示部との装着箇所を扉と縦枠板とでそれぞれ入替えたことを特徴とする請求項１〜８のいずれかに記載の錠前。
【発明の詳細な説明】
【０００１】
【発明の属する技術分野】
本発明は、汎用の簡易な錠前の改良に関する。
【０００２】
【従来の技術】
従来、トイレ、部屋間等の開閉する開き戸、引戸等の扉に用いられる簡易な錠前として、つまみの回動に連動するレバーを開閉する扉又は枠板側に固着されたストライクや受け具に係脱可能とした錠前が用いられている。
【０００３】
【発明が解決しようとする課題】
前記従来の錠前は簡易な構造であり広く用いられているが、外側からのレバーの操作は非常用の場合のみであり、通常施錠時以外はレバー位置が不安定であることに目を付けて、レバーを垂直上方位置においたまま外側から扉を閉め、レバーがどちらに倒れるかを占うといった悪戯をすることが頻発している。その場合、レバーが施錠状態となってしまうと開錠のため非常用の操作が必要となり外側からの使用が制約を受けるといった課題があった。
これに対し、本発明の目的の一つは、簡易な構造で外側から扉を閉めた場合、レバーの位置が不安定でなく施錠位置と反対側に必ず倒れて施錠状態となることがなく、余分な操作が不要で前記のようないたずらを未然に防ぐことのできる錠前を得ることである。
又他の目的は、簡易な構造で扉を閉めた場合、レバーの位置が略垂直上方又は下方位置に一時的に吸着保持されて不安定となることがなく、いたずらを未然に防ぐことのできる錠前を得ることである。
【０００４】
【課題を解決するための手段】
前記目的を得るため、請求項１の発明にあっては、イ）扉端部に固着された受け具を有するレバー受け部と、ロ）縦枠板端部前後に挿通する一対のスタットが前面に突設され中心孔が穿設されたベース板と呼込み板とが向合って呼込みボルトを介して固着され、ハ）後側のつまみと、前側の円柱状部前面に突設されたジョイントと、該円柱状部側面に連結された板状又は棒状レバーとを有する回動部とを備え、ニ）前記ベース板後側に前記回動部が配設され前記レバーが前記中心孔に摺動する前記ジョイントの軸芯回りに回動可能とされている錠前であって、ホ）前記レバーの垂直上方位置において前記円柱状部前面に回動軸芯に対し前記レバー受け部対向側位置に高比重材料の重りが埋設され、ヘ）前記レバーは水平位置にあっては一端部と前記受け具とが係合可能とされ、該レバーは略垂直上方位置にあっては前記円柱状部への埋設位置によって生ずる前記重りのアンバランスによって該レバーを下方位置に自然に回動可能とされている錠前により解決した。
請求項２の発明にあっては、イ）扉端部に固着された受け具を有するレバー受け部と、ロ）縦枠板端部前後に挿通する一対の強磁性体製スタットが前面に突設され中心孔が穿設された非磁性体製ベース板と呼込み板とが向合って呼込みボルトを介して固着され、ハ）後側のつまみと、前側の円柱状部前面に突設されたジョイントと、該円柱状部側面に連結された板状又は棒状レバーとを有する回動部とを備え、ニ）前記ベース板後側に前記回動部が配設され前記レバーが前記中心孔に摺動する前記ジョイントの軸芯回りに回動可能とされている錠前であって、ホ）前記円柱状部前面に前記レバー長手方向に直交し回動軸芯の対称位置に一対の磁石が前面露出状態で埋設され、前記円柱状部の少なくとも前記磁石周辺は非磁性体製で、前記スタットは前記磁石に対応する位置に後面を露出状態におかれ、ヘ）前記レバーは水平位置にあっては一端部と前記受け具とが係合可能とされ、該レバーが水平位置からずれた位置にあっては前記スタットが前記磁石に吸着され該レバーを略垂直上方又は下方位置に保持可能とされている錠前により解決した。
請求項３の発明にあっては、受け具は開口部上向き略コ字形の受け溝が形成されている請求項１又は２に記載の錠前とすることができる。
請求項４の発明にあっては、受け具は略方形板状の中央部に略方形状開口部が形成され一対の受け溝を有する基板を扉端部側面に固着するか又は該基板と略方形板状の固着板とで略Ｌ字形に形成し該扉端部壁面に横付けするかしている請求項１又は２に記載の錠前とすることができる。
請求項５の発明にあっては、受け具は扉端部壁面に柱状突起を設けた請求項１又は２に記載の錠前とすることができる。
請求項６の発明にあっては、レバーの一端部に根元部より小サイズに切欠かれた係止溝又は鎌状の係止溝が形成されている請求項１〜５のいずれかに記載の錠前とすることができる。
請求項７の発明にあっては、呼込み板を円板状の表示取付け板に入替え、円板状で前面が区分けされ中心に凹状部をもった解錠操作部と後側に異形孔が設けられた円筒状突起部とを有する表示板と、キャップ状で前記表示板を介在して前記表示取付け板に係止し軸芯に前記解錠操作部が挿通され表示窓をもった表示カバーとを有する表示部を備え、ベース板と前記表示取付け板とが向合って呼込みボルトを介して縦枠板端部に固着され、ジョイントの軸芯前方に異形軸を突設して前記異形孔に挿着するか又は該ジョイント軸芯と該異形孔をキーによって連結するかしてレバーの回動に連動して前記表示窓から前記表示板の区分けを目視可能とした請求項１〜６のいずれかに記載の錠前とすることができる。
請求項８の発明にあっては、ベース板と呼込み板又は表示取付け板間に扉と縦枠板の各壁面の前後食違いに対応した前後幅をもち軸芯に中心孔が穿設され外周部にスタットが貫通可能な通し孔が穿設された略円柱体のスペーサーが介在されている請求項１〜７のいずれかに記載の錠前とすることができる。
請求項９の発明にあっては、レバー受け部と、回動部及びベース板と呼込み板又は表示部との装着箇所を扉と縦枠板とでそれぞれ入替えた請求項１〜８のいずれかに記載の錠前とすることができる。
【０００５】
【発明の実施の形態】
本発明の実施の形態を図面に基づき説明する。
図１は、本発明の錠前を装着した開き戸の各図である。
図２及び４は、本発明の錠前の第一例の分解及び組立て斜視図であり、図６は施解錠における作動の概略模式的説明図である。
図３及び５は、本発明の錠前の第二例の分解及び組立て斜視図である。
図７は、本発明の錠前の第三例及びその変形例の分解斜視図であり、図８は作動の概略模式的説明図である。
以下においては、通常扉を外側正面よりみた方すなわち図１（ａ）においての上側及び図１（ｂ）においての紙面裏側を前側又は外側とし、それぞれの反対側を後側又は内側とし、扉を前側から後側に向かって見て左右とし、又各構成要素の位置関係は使用状態において説明する。
本発明の錠前は、開き戸又は引戸に用いられるが、例えば開き戸に装着した例として図１に示す通り、扉Ａ側と一方（本例では前側からみて右側）の縦枠板Ｂ１側に各構成部材が固着され、又他方（本例では前側からみて左側）の縦枠板Ｂ２側には複数個のヒンジＣが掛渡されて扉Ａが開閉可能とされている。縦枠板Ｂ１、Ｂ２の下端部には、床面ＧＧとの間の間隙のばらつきを調整するためのサポートＤが複数個装着されている。
【０００６】
先ず本発明の第一例の錠前１の構成を図２に基づき説明する。
錠前１は、回動部２、ベース板３、固着具４、レバー受け部７を備え、必要によりスペーサー５、表示部６を有している。
回動部２は、一端部に略コ字形の根元部より小サイズに切欠かれた係止溝２１ａをもった板状レバー２１と、レバー２１の他端部が側面軸芯方向に連結された前側円柱状部２２ｂと後側先細り状でレバー２１平面と平行なつまみ２２ａをもち円柱状部２２ｂ前面に埋込み孔２２ｃが設けられた基部２２と、円柱状部２２ｂの平坦な前面中心から突設された異形軸２３ａと該異形軸２３ａ後端末を囲繞し前寄り周面に浅溝２３ｃが刻まれた円柱状フランジ２３ｂとをもったジョイント２３とが一体に形成され、基部２２に対し遥かに高比重の材料例えば鉛製で埋込み孔２２ｃに圧入埋設可能な大きさの別体の例えば円板状の重り２５と、浅溝２３ｃに嵌着可能なＣ型止め輪２４とを有している。レバー２１は、後述する通りジョイント２３の軸芯回りに回動可能とされる。
埋込み孔２２ｃ及び重り２５の形状は特に限定はないが、円形とした方が工作上及び取扱上からは好ましく、重り２５は円柱状部２２ｂにおいて図６（ｂ）について後述するレバー２１の垂直上方の中立位置にあってレバー２１の回動軸芯に対しレバー受け部７の対向側位置に設けられた埋込み孔２２ｃに圧入される。埋込み孔２２ｃの中心位置は、レバー２１の回動軸芯から該レバー２１長手方向に対し垂直方向にあるのが作動上からは好ましいが、これに限定されず後述する重り２５によるアンバランスによってレバー２１が円滑に作動可能であればずれは許容される。異形軸２３ａは通常方形であるのが好ましいが、後述する表示板６２の異形孔に挿着され駆動可能な円でない異形であればよい。異形軸２３ａは、円柱状部２２ｂから突設する構造でなく、キー状の別体とし円柱状部２２ｂの中心に異形孔を設けて埋込む構造としてもよい。ここで、重り２５以外では通常レバー２１、異形軸２３ａ及び止め輪２４は金属製で、その他は金属製又は硬質プラスチック製とされる。金属と硬質プラスチックとを併用する場合には一体成型とすると金属の切削加工に比しコストダウン、デザイン上の美観が計れる等のメリットがある。
ベース板３は、回動部２に対し表示部６を保持するための金属又は硬質プラスチック材製で、円形リング状の板材で中央にフランジ２３ｂが摺動可能な中心孔３ａが、外周寄り対称位置に一対の小孔３ｂがそれぞれ穿設されている。
固着具４は金属製で、小孔３ｂに後端末が圧入されかしめ、溶着等により固着可能な細径部をもち前端内径側に雌ねじが設けられた大径部をもった前後幅ｗ１の一対のスタット４ａと、頭付で後部にスタット４ａ前端部の雌ねじに螺合可能な雄ねじをもち後述する表示取付け板６１及びスペーサー５を貫通する前後長さｗ３の一対の呼込みボルト４ｂとを有している。
スペーサー５は金属又は硬質プラスチック材製で、軸芯に中心孔５ａが穿設された前後幅ｗ２の略円柱体で、外周部対称位置にスタット４ａが貫通可能な一対の通し孔５ｂが穿設され、通し孔５ｂのない外周部に４個の略扇形開口部５ｃが穿設されている。このスペーサー５は、板状の扉Ａと縦枠板Ｂ１の組合わせが内側壁面が直線上にある場合には不要であり、壁面が前後食違っている場合（図１に示す場合）に必要とされる選択的構成で、スペーサー５の前後幅ｗ２は扉Ａと縦枠板Ｂ１の各壁面の食違い程度に対応して選定され、後述する他例においても同様である。ここで、ｗ１＜ｗ２＜ｗ３の関係にとられている。開口部５ｃは、スペーサー５が硬質プラスチック製である場合、材料節約と成型時の歪み防止のために設けられたもので必須のものではない。
【０００７】
表示部６は、表示取付け板６１と、表示板６２と、表示カバー６３とを備えている。後述する通り、最も単純化した例では表示部６は省略することもできる。表示取付け板６１は、軸芯部に中心孔６１ａが穿設された円板状で、外周寄り対称位置に呼込みボルト４ｂの頭が定着され軸が挿着可能なベース板３の小孔３ｂと軸芯間隔が同じ座付きの一対の通し孔６１ｂが穿設され、通し孔６１ｂのない外周部に４個の略扇形開口部６１ｃが穿設され、外周側面に沿って等間隔に４か所の係止小突起６１ｄが突設され、各係止小突起６１ｄ後側から後方に向かって補強小突起６１ｅが突設されている。ここで開口部６１ｃは、前記開口部５ｃと同様必須のものではない。表示板６２は円板状で、軸芯部の前側にすり割をもった解錠操作部６２ｄと、後側に前記中心孔６１ａに摺動可能な外径をもち軸芯に異形軸２３ａに挿着可能な異形孔（図示省略）が設けられた円柱状突起部６２ｃとを有している。表示板６２の円板状表面に錠前の施錠状態を示す扇形の例えば赤色部分６２ａと開錠状態を示す扇形の例えば青色部分６２ｂとが色分けしてあり、赤色部分６２ａは通常円板状全体の１／４、青色部分６２ｂは全体の３／４の面積にとられている。解錠操作部６２ｄのすり割は、予期せずに施錠されてしまった場合等に、扉Ａの前側よりドライバー等を用いて開錠を可能とするためのものである。表示カバー６３は、外周円形のキャップ状体で、表示板６２を介在して後側内径が表示取付け板６１の係止小突起６１ｄに圧入し係止可能な大きさで軸芯に解錠操作部６２ｄが挿通可能な中心孔６３ａが穿設され、外周寄りに赤色部分６２ａに比し僅かに小さい外周と船底断面形とで形成された表示窓６３ｂが穿設され、後述する通り組立てたときに表示板６２の赤色部分６２ａの大部分又は青色部分６２ｂの一部が前側より目視可能とされる。
ここで、解錠操作部６２ｄのすり割は、多角形、十字形等の他の凹状部としてもよく、表示板６２の色分けに代えて例えば使用中と無表示の文字表示で区分けしてもよい。
【０００８】
レバー受け部７は、受け具７１と固着具７３とを備え、必要により受けカバー７２を有している。
受け具７１は通常金属製で、方形体の基台７１ａの上方に前側片７１ｂと後側片７２ｃとで側面視において開口部上向きの略コ字形の受け溝７１ｇが形成され、基台７１ａの後側面より大孔が頭付タッピングねじ、木ねじ等の固着具７３の頭が挿通可能に穿設され前側面寄りに該固着具７３先端のねじ部が突出可能な小孔７１ｄに繋げて貫通され、後側片７１ｃには後側より固着具７３の頭が挿通可能な大孔７１ｅが貫通され、前側片７１ｂには後側より固着具７３先端のねじ部が突出可能な小孔７１ｄが貫通されている。又基台７１ａの左右外側面下縁に沿って僅かな一対の係止凹部７１ｆが線状に設けられている。カバー７２は、通常プラスチック製で、受け具７１に沿って上方より被覆可能な形状であって、基台７１ａを上方より下方にある空隙７２ｅに嵌着し被覆可能な基部７２ａと、前側片７１ｂを前側より空隙７２ｄに嵌着し被覆可能な前側部７２ｂと、後側片７１ｃを図示省略するが下側に開口した空隙より嵌着して被覆可能な後側部７２ｃとを有し、基部７２ａの上方に前側部７２ｂと後側部７２ｃとより開口部上向きの略コ字形の受け溝７２ｈが形成され該受け溝７２ｈにレバー２１の係止溝２１ａが係合可能とされる。ここで、基部７２ａ左右外側面に一対の縦筋７２ｇが刻込まれ、基部７２ａ左右内側面下縁に沿って線状の僅かな係止突起７２ｆが突設されている。上記各構成部材は特記してない限り、金属又は硬質プラスチック製とされている。
【０００９】
本発明の第二例の錠前１０の構成を図３に基づき説明する。
錠前１０は、回動部８、ベース板３、固着具４、表示部６、レバー受け部９を備えている。ここで、前記錠前１と同様の構成要素は同一符号を用い詳細説明は省略する。又本例では、スペーサー５が省略されている。
回動部８は、一端部に根元部より小径に切欠かれた断面円形係止溝８１ａをもった棒状好ましくは円柱棒状レバー８１と、レバー８１の他端部が側面軸芯方向に連結された前側円柱状部８２ｂと後側先細り状つまみ８２ａをもち円柱状部８２ｂ前面に重り２５の埋込み孔８２ｃが前記埋込み孔２２ｃと同様の位置に設けられた基部８２と、円柱状部８２ｂの前面中心から突設された異形軸８３ａと該異形軸８３ａ後端末を囲繞し前寄り周面に浅溝８３ｃが刻まれた円柱状フランジ８３ｂとをもったジョイント８３とが一体に形成されている。ここで、回動部２とはレバー８１の形状が異なり、異形軸８３ａの突設長さが短い点以外は前記錠前１の回動部２と同様の構成である。
ベース板３、表示部６は前記錠前１と同様の構成である。固着具４は、スタット４ａより小さい前後幅ｗ４のスタット４ｃ、呼込みボルト４ｂより短い長さｗ５の呼込みボルト４ｄを用いている他は同様の構成である。ここで、スタット４ｃの前後幅ｗ４は、後述する装着する縦枠板Ｂ１の前後厚みより僅か数ｍｍ程度小さくとられている。
レバー受け部９は、略長方形板状の基板９１ａの中央部に略方形状開口部９１ｂと該開口部９１の上下端部に円弧状に連設形成された一対の受け溝９１ｃと、該受け溝９１ｃの上下に一対の小孔９１ｄが穿設されている通称ストライクの受け具９１と、小孔９１ｄに挿通し受け具９１を扉側に固着可能な固着具７３と同様な固着具９２とを有している。
【００１０】
次いで、錠前１の組立てを図１、２、４に基づき説明する。錠前１のタイプは通常開き戸に用いられる。
先ず基部２２の埋込み孔２２ｃに重り２５を圧入し、ジョイント２３の異形軸２３ａをベース板３の中心孔３ａに通して該中心孔３ａにフランジ２３ｂを嵌着し、ベース板３の表面位置に出ている浅溝２３ｃにＣ型止め輪２４を嵌着して後述する通り縦枠板Ｂ１に固着されたベース板３の中心孔３ａ回りにフランジ２３ｂを摺動可能且つ抜出し不能にセットし、異形軸２３ａは前側に突出状態とする。異形軸２３ａを別体のキーに代えた場合は、円柱状部２２ｂに設けた異形孔にキーを挿着する。
次に、ベース板３の一対の小孔３ｂにスタット４ａの後端末細径部を固着して前側に突出状態とし、スタット４ａの大径部にスペーサー５の通し孔５ｂを貫通せしめると、前記したスタット４ａ前後幅ｗ１＜スペーサー５前後幅ｗ２の関係よりスタット４ａは通し孔５ｂの中に収まり、この状態の組立各部材を図１に示す通り縦枠板Ｂ１の後側におく。縦枠板Ｂ１には、図示省略するが表示板６２の突起部６２ｃが遊嵌可能な軸芯の丸孔と該軸芯の対称位置に呼込みボルト４ｂが挿通可能な一対の丸孔を穿設しておき、この縦枠板Ｂ１を図４に示す間隔Ｘ部分に挟んで前記後側の組立各部材に向合わせて表示取付け板６１を通し孔６１ｂの前側から通し孔５ｂに収まっているスタット４ａ前端の雌ねじに向けて一対の長さｗ３の呼込みボルト４ｂを螺合してスタット４ａ前端に表示取付け板６１をスペーサー５を介して縦枠板Ｂ１の前壁面に固着し、同時にベース板３も縦枠板Ｂ１の後壁面に固着される。次いで、表示板６２後側の突起部６２ｃを各中心孔６１ａ、５ａに貫通して軸芯の異形孔に突出しているジョイント２３の異形軸２３ａを挿着し、表示カバー６３の後側を表示取付け板６１の係止小突起６１ｄに圧入して係止し、レバー２１の回動により異形軸２３ａ、突起部６２ｃが連動して表示板６２が回動可能となり、スタット４ａに固着されてる表示取付け板６１に係止されている表示カバー６３は不動状態とされている。ここで表示カバー６３と表示取付け板６１との係止小突起６１ｄによる係合のとき、補強小突起６１ｅの存在によってこの部分が圧力で変形しないようにされている。表示カバー６３の表示窓６３ｂ全体は、レバー２１が水平で施錠状態のときには表示板６２の赤色部分６２ａを目視可能な状態とし、レバー２１が垂直のときに全体が青色部分６２ｂとなるように調整されている。
一方、レバー受け部７の組立ては、受け具７１の基台７１ａ及び後側部７２ｃの後側面より大孔に固着具７３を挿通して小孔７１ｄから先端のねじ部を突出させ、前記レバー２１の係止溝２１ａが水平で施錠状態のとき受け具７１の開口部上向きの受け溝７１ｇに係合可能な位置において扉Ａ後壁面に固着する。次いで、カバー７２を上方より受け具７１に被覆せしめ、基台７１ａを空隙７２ｅに嵌着し基部７２ａにより、前側片７１ｂを前側より空隙７２ｄに嵌着し前側部７２ｂにより、後側片７１ｃを下側に開口した空隙より嵌着して後側部７２ｃによりそれぞれ被覆するが、縦筋７２ｇにより基部７２ａが左右に撓むことにより被覆が容易に可能で、係止凹部７１ｆに係止突起７２ｆを嵌着せしめてカバー７２を受け具７１にを着脱可能に装着する。
ここで、カバー７２は、美観上から固着具７３を外から見えないように隠し、施錠時にレバー２１の係止溝２１ａと受け溝７２ｈとが係合するようにして不快な騒音を解消するために用いられるが必須構成ではなく、カバー７２を用いずに係止溝２１ａと受け溝７１ｇとを直接係合することとすることもできる。
【００１１】
錠前１０の組立てを図３、５に基づき説明する。錠前１０のタイプは通常引戸に用いられ、図示省略するが開閉する引戸の扉側に回動部８、ベース板３、固着具４及び表示部６を装着し、レバー受け部９を閉鎖時に扉端部が当接する縦枠側に装着するとして説明する。
先ず前記錠前１と同様に、基部８２の埋込み孔８２ｃに重り２５を圧入し、ジョイント８３の異形軸８３ａをベース板３の中心孔３ａに通して該中心孔３ａにフランジ８３ｂを嵌着し、ベース板３の表面位置に出ている浅溝８３ｃにＣ型止め輪２４を嵌着してベース板３の中心孔３ａ回りにフランジ８３ｂを摺動可能且つ抜出し不能にセットし、異形軸８３ａは前側に突出状態とする。次に、ベース板３の一対の小孔３ｂにスタット４ｃの後端末細径部を固着して前側に突出状態とし、スタット４ｃの大径部を前端としてこの状態の組立各部材を扉の後側におく。扉端部表面には、表示板６２の突起部６２ｃが遊嵌可能な軸芯の丸孔と該軸芯の対称位置にスタット４ｃが嵌着可能な一対の丸孔を穿設しておき、この扉を図５に示す間隔Ｙ部分に挟んで前記後側の組立各部材に向合わせて表示取付け板６１を通し孔６１ｂの前側からスタット４ｃ前端の雌ねじに向けて一対の長さｗ５の呼込みボルト４ｄを螺合してスタット４ｃ前端に表示取付け板６１を扉の前壁面に固着し、同時にベース板３も扉の後壁面に固着される。爾後の表示板６２、表示カバー６３の組立ては、前記錠前１におけると同様であり、詳細説明は省略する。
レバー受け部９の組立ては、受け具９１の基板９１ａを扉閉鎖時に扉端部側面が当接する縦枠の側面部を一部くりぬいて、レバー８１の係止溝８１ａが水平で施錠状態のとき円弧状受け溝９１ｃの下側開口に係合可能な位置において小孔９１ｄに固着具９２を挿通して固着する。
【００１２】
錠前１の作動を図１、４、６に基づき説明する。
図１、図６（ｂ）に示すのは、開き戸に用いた錠前１が解錠状態でレバー２１長手方向が略垂直上方の中立位置にある場合で、このとき重り２５はレバー２１の回動軸芯に対しレバー受け部７の固着位置の反対側（本例では右側）対向位置にあるため重量がアンバランスになっており、そのままでは前側よりみて時計回りＸ方向に自然に回動し、図６（ｃ）に示す解錠状態のレバー２１が下方にある位置（通常略垂直）に移動する。
一方人力で意思をもってレバー２１を重量のアンバランスに抗して反時計回りＹ方向に回動しレバー受け部７の固着位置側（本例では左側）の水平位置に回動すると図６（ａ）に示す施錠状態が得られる。つまみ２２ａとレバー２１とは平行におかれているので、つまみ２２ａを人力で操作する。いずれにしてもレバー２１はそのまま図６（ｂ）の中立位置に保持されることはなくなり、前記したレバー２１位置の不安定さに目を付けて、レバーがどちらに倒れるかを占うといった悪戯を未然に防ぐことができる。
引戸に用いた錠前１０の作動は、図３、５を参照して、レバー８１長手方向が略垂直上方の中立位置にある場合は、重り２５はレバー受け部９の固着位置の反対側対向位置にあるため重量がアンバランスになっており、そのままでは前側よりみて時計回り方向に自然に回動し、解錠状態のレバー８１が下方にある位置（通常略垂直）に移動する。一方人力でレバー８１を重量のアンバランスに抗して反時計回り方向に回動しレバー受け部９の固着位置側の水平位置に回動すると施錠状態が得られる。したがって前記錠前１の場合と同様の作用効果が得られる。レバー８１は棒状で、板状のレバー２１に比し強度面から前後幅を小さくとれるので引戸に用いる縦枠の幅を狭くとることができる利点がある。
錠前１、１０いずれの場合も前記した通り、表示部６の表示板６２の色分け６２ａ、６２ｂが、レバー２１、８１の回動に連動して目視可能であり、又予期せず施錠されてしまった場合には解錠操作部６２ｄのすり割りに前側よりドライバーなどを挿着して容易に解錠が可能である。
【００１３】
次に、本発明の第三例の錠前２０の構成を図７（ａ）に基づき説明する。
錠前２０は、回動部８′、ベース板３′、固着具４、表示部６、レバー受け部９を備えている。ここで、前記錠前１、１０と同様の構成要素は同一符号を用い詳細説明は省略する。又本例では、スペーサー５は省略されている。
回動部８′は、一端部に前記回動部８と同様の断面円形係止溝８１ａをもった円柱棒状レバー８１と、レバー８１の他端部に前側円柱状部８２′ｂと後側先細り状つまみ８２′ａをもち円柱状部８２′ｂ前側に円板状の一対の永久磁石８４を埋設可能な埋込み孔８２′ｃが設けられた基部８２′と、円柱状部８２′ｂの前面中心から突設された異形軸８３ａと該異形軸８３ａ後端末を囲繞し前寄り周面に浅溝８３ｃが刻まれた円柱状フランジ８３ｂとをもったジョイント８３が形成されている。異形軸８３ａは、前記錠前１のジョイント２３で説明した通り、別体のキーを埋込む構造としてもよい。磁石８４は円柱状部８２′ｂにおいてレバー８１長手方向に直交し軸芯に対し対称位置に設けられた一対の埋込み孔８２′ｃに圧入され前面は露出状態におかれる。埋込み孔８２′ｃ及び磁石８４の形状は前記重り２５の場合と同様特に限定はないが、円形とした方が工作上及び取扱い上からは好ましい。ここで、基部８２′は少なくとも埋込み孔８２′ｃの周辺は後述するベース板３′と同様非磁性体とすることが必要で、通常硬質プラスチックで基部８２′を一体で成形したものを用いるのが低コストであり好ましい。又図７に示す円柱状部８２′ｂ前面は他の円柱状部２２ｂ、８２ｂと異なり、全体が平坦でなく外周が僅かにフランジで縁取りされ段付き部とされているが、これは組立時にこの段付き部にベース板３′が納まり外側から見えないようにして良好な外観を得るためのもので、必須のものではない。
ベース板３′は、非磁性体の板材製で例えば、アルミ、真鍮、ステンレス、硬質プラスチック等が用いられ、形状はベース板３と同様であって、中央にフランジ８３ｂが摺動可能な中心孔３′ａが、外周寄り軸芯に対し対称位置にスタット４ｅの後端末細径部が圧入される一対の小孔３′ｂがそれぞれ穿設されている。この小孔３′ｂの位置は円柱状部８２′ｂに一対が対称位置設けられた埋込み孔８２′ｃと対応する位置とされている。
固着具４は前後幅ｗ６のスタット４ｅ、長さｗ７の呼込みボルト４ｆを用い、長さは異なる場合があるものの、前記した他の固着具と同様の構成であり、スタット４ｅは磁石８４に吸着可能なように、必ず強磁性体製で例えば鉄とされている。スタット４ｅの前後幅ｗ６は、後述するように装着される縦枠板Ｂ１の前後厚みより僅か数ｍｍ程度小さくとられている。スタット４ｅはベース板３′にかしめ、溶着等により固着される際に、裏面から端末が露出状態にあるようにされている。
表示部６は前記錠前１、１０と同様の構成であり、レバー受け部９は前記錠前１０と同様の構成で受け具９１と固着具９２とを有している。
【００１４】
次に錠前２０の組立てを図７、８に基づき説明する。図示省略するが前記錠前１０と同様例えば開閉する引戸の扉側に回動部８′、ベース板３′、固着具４及び表示部６を装着し、レバー受け部９を閉鎖時に扉端部が当接する縦枠板側に装着するとして説明する。
先ず、基部８２′の一対の埋込み孔８２′ｃに磁石８４を前面露出状態となるように圧入埋設し、ジョイント８３のフランジ８３ｂにベース板３′の中心孔３′ａを通して嵌着し、ベース板３′の表面位置に出ている浅溝８３ｃにＣ型止め輪２４を嵌着して中心孔３′ａ回りにフランジ８３ｂを摺動可能且つ抜出し不能にセットし、異形軸８３ａは前側に突出状態とする。次に、ベース板３′の小孔３′ｂにスタット４ｅの後端末細径部を固着して前側に突出状態とし後側を非磁性体製のベース板３′裏面から露出状態におき、スタット４ｅの大径部を前端としてこの状態の組立各部材を扉の後側におく。ここで小孔３′ｂに固着されたスタット４ｅの後端末細径部と埋込み孔８２′ｃに圧入された磁石８４とは後述する通り対応する位置に移動可能とされている。
扉端部表面への組立ては、前記錠前１０の場合と同様であり、表示板６２の突起部６２ｃが遊嵌可能な軸芯の丸孔と該軸芯の対称位置にスタット４ｅが嵌着可能な一対の丸孔を穿設しておき、この扉を挟んで前記後側の組立各部材に向合わせて表示取付け板６１を通し孔６１ｂの前側からスタット４ｅ前端の雌ねじに向けて一対の長さｗ７の呼込みボルト４ｆを螺合してスタット４ｅ前端に表示取付け板６１を扉の前壁面に固着し、同時にベース板３′も扉の後壁面に固着される。爾後の表示板６２、表示カバー６３の組立ては、前記錠前１、１０におけると同様であり、詳細説明は省略する。
レバー受け部９の組立ては、前記錠前１０の場合と同様であり、詳細説明は省略する。
【００１５】
次に、錠前２０の作動を図８に基づき説明する。
図８（ａ）、（ｂ）、（ｃ）は施錠時の場合を示しレバー８１長手方向は水平方向におかれ、図８（ｄ）は開錠時の場合で、レバー８１長手方向が垂直上方の中立位置にある場合を実線で示し、垂直下方の中立位置にある場合を二点鎖線で示している。
施錠は、特に図示しないが図５、６と同様で、人力で意思をもってレバー８１長手方向を水平方向に回動し係止溝８１ａを受け溝９１ｃに係合せしめることによって確実になされる。
一方、施錠状態から解錠してレバー８１長手方向を水平からずらし時計回りＸ方向（図６とは視点が前後逆向きとなっており、見掛上の方向は逆となっている）に回動すると図８（ｄ）の実線で示す垂直上方の中立位置に達して、一対の埋込み孔８２′ｃに埋設された磁石８４が，非磁性体製のベース板３′裏面から露出状態の対向位置に固着されている強磁性体の一対のスタット４ｅ後端末細径部を吸着して停止する。又レバー８１長手方向を反時計回りＹ方向（前記した通り図６とは見掛上逆となっている）に回動すると図８の二点鎖線で示す垂直下方の中立位置に達して、磁石８４はベース板３′に固着されている一対のスタット４ｅ後端末細径部の対向位置（前記レバー８１の垂直上方位置から１８０度位相がずれている）でこれを吸着して停止する。このレバー８１の時計回りＸ又は反時計回りＹ方向の回動は、必ずしも施錠状態から解錠する場合に限られず、レバー８１長手方向を水平から垂直上方又は垂直下方のいずれかにずれた中間位置にある場合にもその位置から垂直上方又は垂直下方のいずれかまで回動して吸着により停止する。ここでの垂直上方又は垂直下方位置は厳密ではなく多少のずれは許容される。
一旦磁石８４によって強磁性体のスタット４ｅが吸着されると吸着力が強く、人為的に外力を加えない限り互いに剥離することは容易にできず、レバー８１長手方向は必ず垂直上方又は垂直下方の中立位置に一時的に吸着保持されるので、外側から扉を閉めた場合、レバーの位置は不安定な状態におかれず施錠状態となることがなく、いたずらを未然に防ぐことができる。
施錠時には、人力で意思をもってレバー８１長手方向を水平方向に回動すると吸着されている磁石８４とスタット４ｅとは容易に剥離される。
【００１６】
次に一部図示省略するが、前記各例の変形例について説明する。
前記本発明の第一例の錠前１は、開き戸において各構成部材を扉側と縦枠板側とを入替えて装着してもよい。又引戸においても使用可能で、その場合も各構成部材をレバー受け部７と、回動部２及びベース板３（スペーサー５を選択するときはこれを合わせ）と、表示部６の３グループにそれぞれに分け縦枠板側と扉側とに装着する。
前記本発明の第二例の錠前１０及び第三例の錠前２０は、引戸において各構成部材を扉側と縦枠板側とを入替えて装着してもよい。又開き戸においても使用可能で、その場合も各構成部材をレバー受け部９と、回動部８、８′及びベース板３、３′（スペーサー５を選択するときはこれを合わせ）と、表示部６の３グループにそれぞれに分け、縦枠板側と扉側とに装着する。
又図７（ｂ）を参照して、前記錠前１０、２０に用いられているレバー受け部９の受け具９１はフラットな基板９１ａで縦枠板の側面部を一部くりぬいて固着しているがこれに代えて、略長方形状の中央部に穿設された略方形開口部による一対の受け溝１２ｃを有する基板１２ａと、別体の複数個の長孔である固着孔１２ｄが穿設された略長方形板状の固着板１２ｂとで略Ｌ字形に形成された受け具１２を用い、該固着板１２ｂを縦枠板壁面側に固着具１４で固着して横付する構成のレバー受け部１１とし、縦枠板壁面上に位置する受け溝１２ｃにレバー８１先端の係止溝８１ａを係合又は離脱可能することができる。又回動部８、８′をレバー８１に代えて、断面円形の棒状レバー１５の端部に板状の鎌状の係止溝１５ａを軸芯に対し対称形に配設して、該鎌状の係止溝１５ａを受け溝１２ｃに係合又は離脱可能な構成とすることとしてもよい。ここで、受け具１２の後側に沿って被覆可能で該受け具１２と同様の受け溝及び固着孔を有するプラスチック製受けカバー１３を用いると汚れ防止や美観上から好ましが必須のものではない。開き戸にあっては係止溝２１ａ、８１ａ、１５ａをなくしてレバー２１、８１、１５を表面均一形状の構成とすることもできるが、引戸では扉を左右に移動すると抜けるおそれがあり係止溝は必要である。
更に、最も単純な受け具として、壁面に柱状突起を設けこれにレバーの一端部をストッパーとして当接する構成とすることもできる。
【００１７】
前記錠前１、１０、２０においては、いずれもレバー位置を表示する表示板６２を目視可能とする表示部６が設けられているが、図示省略するが用途によっては最も単純化した変形例として表示部６を廃し、表示取付け板６１の所にベース板３、３′に対応する板状の呼込み板を置き、該呼込み板に小孔３ｂと軸芯間隔が同じ通し孔６１ｂと同様の通し孔を穿設した構成とすることができる。ここで、美観上より呼込みボルトの頭が前側に露出しないように表面を被覆する呼込み板カバーを設けるのが好ましい。又このとき異形軸２３ａ、８３ａは表示取付け板６１との連結の必要性がないので省略し、ベース板３、３′の中心孔３ａ、３′ａとフランジ２３ｂ、８３ｂとが摺動可能であればよいので、フランジ２３ｂ、８３ｂの円柱状部２２ｂ、８２ｂ、８２′ｂの前面からの突出量を僅少にとってベース板３、３′と略面一にとることができる。
この変形例の場合の組立ては、前記した扉又は縦枠板に穿設する突起部６２ｃが遊嵌可能な丸孔はなくし、呼込みボルトが挿通可能な一対の丸孔のみを穿設しておき、前記錠前１、１０、２０と同様にベース板と呼込み板間にスタットをおいて呼込みボルトによって、表示部６を除く錠部分を扉又は縦枠板に固着して組立てる。その結果、扉又は縦枠板前後にベース板３、３′と呼込み板か固着され、回動部２、８、８′のレバー２１、８１、１５はベース板３、３′の軸芯すなわちジョイント２３、８３の軸芯回りに回動可能となり前記錠前１、１０、２０と同様に作動する。
一方、表示部６の表示板６２の円板状表面の色分け等の区分をなくし前側の解錠操作部６２ｄと後側の突起部６２ｃのみを有する単純な円板状の操作板に代え、表示カバー６３の表示窓６３ｂをなくして操作板カバーに代えた他は表示部６と同様構成に置換えることもできる。
【００１８】
【発明の効果】
本発明の錠前によれば、重りにより重量のアンバランスを計るという簡易な構造で外側から扉を閉めた場合、レバーの位置が不安定でなく必ず施錠位置と反対側に倒れて施錠状態となることがなく、余分な操作が不要でいたずらを未然に防ぐことができる。
又、磁石と強磁性体のスタットとの吸着という簡易な構造で、扉を閉めた場合レバー長手方向を必ず略垂直上方又は下方の中立位置に一時的に保持可能で、不安定で施錠状態となることがなくいたずらを未然に防ぐことができる。
【図面の簡単な説明】
【図１】本発明の錠前を装着した開き戸の（ａ）平面図、（ｂ）正面図である。
【図２】本発明の錠前の第一例の分解斜視図である。
【図３】本発明の錠前の第二例の分解斜視図である。
【図４】図２の錠前の（ａ）正面視組立て斜視図、（ｂ）裏面視組立て斜視図である。
【図５】図３の錠前の（ａ）正面視組立て斜視図、（ｂ）裏面視組立て斜視図である。
【図６】本発明の錠前の第一例の施解錠における作動の概略模式的説明図で、（ａ）施錠時、（ｂ）解錠中間時、（ｂ）解錠終了時である。
【図７】本発明の錠前の第三例の（ａ）分解斜視図、（ｂ）（ａ）の一部変形例分解斜視図である。
【図８】図７の錠前の施錠時の概略組立図で、（ａ）平面図、（ｂ）側面図、（ｃ）正面図である。又（ｄ）解錠時を概略模式的に説明する正面図である。
【符号の説明】
１、１０、２０  錠前
２、８、８′  回動部
２１、８１、１５  レバー
２１ａ、８１ａ、１５ａ  係止溝
２２、８２、８２′  基部
２２ａ、８２ａ、８２′ａ  つまみ
２２ｂ、８２ｂ、８２′ｂ  円柱状部
２２ｃ、８２ｃ、８２′ｃ  埋込み孔
２３、８３  ジョイント
２３ａ、８３ａ  異形軸
２３ｂ、８３ｂ  フランジ
２５  重り
３、３′  ベース板
３ａ、３′ａ、５ａ、６１ａ、６３ａ  中心孔
４、１４、７３、９２、  固着具
４ａ、４ｃ、４ｅ  スタット
４ｂ、４ｄ、４ｆ  呼込みボルト
５  スペーサー
５ｂ、６１ｂ  通し孔
６  表示部
６１  表示取付け板
６２  表示板
６３  表示カバー
６２ｃ  突起部
６２ｄ  解錠操作部
７、９、１１  レバー受け部
７１、９１、１２  受け具
７１ｇ、７２ｈ、９１ｃ、１２ｃ  受け溝
８４  磁石
９１ａ、１２ａ  基板
１２ｂ  固着板
９１ｂ  方形状開口部
Ａ  扉
Ｂ１Ｂ２  縦枠板
【図１】
0003661094.tif 000002
【図６】
0003661094.tif 000003
【図２】
0003661094.tif 000004
【図３】
0003661094.tif 000005
【図４】
0003661094.tif 000006
【図５】
0003661094.tif 000007
【図７】
0003661094.tif 000008
【図８】
0003661094.tif 000009